【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
圧力センサから出力される矩形波の周波数を平滑化する圧力センサの出力周波数平滑化方法であって、ｉ番目の矩形波の時間幅Ｘiに対する平滑化された時系列ＹiをＹi＝（ｂ0Ｘi＋ｂ1Ｘi-1−ａ1Ｙi-1）／ａ0            ・・・（３）によって求めること（ただし、ｂ0＝ωｂ1＝ωａ0＝２／Ｘi＋ωａ1＝−２／Ｘi＋ω          ・・・（５）であり、また、ω＝２πｆcであり、ｆcはカットオフ周波数である。）を特徴とする圧力センサの出力周波数平滑化方法。
【請求項２】
圧力センサから出力される矩形波の周波数を平滑化する圧力センサの出力周波数平滑化方法であって、ｉ番目の矩形波の時間幅Ｘiに対する平滑化された時系列ＹiをＹi＝（ｂ0Ｘi＋ｂ1Ｘi-1＋ｂ2Ｘi-2−ａ1Ｙi-1−ａ2Ｙi-2）／ａ0   ・・・（４）によって求めること（ただし、ｈをフィルタのダンピングとして、ａ0＝１２／Ｘi2＋１２ｈω／Ｘi＋ω2ａ1＝１０ω2−２４／Ｘi2ａ2＝１２／Ｘi2−１２ｈω／Ｘi＋ω2ｂ0＝ω2ｂ1＝１０ω2ｂ2＝ω2                  ・・・（６）                                  または、ａ0＝４／Ｘi2＋４ｈω／Ｘi＋ω2ａ1＝２ω2−８／Ｘi2ａ2＝４／Ｘi2−４ｈω／Ｘi＋ω2ｂ0＝ω2ｂ1＝２ω2ｂ2＝ω2                  ・・・（７）であり、また、ω＝２πｆcであり、ｆcはカットオフ周波数である。）を特徴とする圧力センサの出力周波数平滑化方法。
【請求項３】
地震センサと、前記地震センサからの出力をＡＤ変換することで地震データを生成するＡＤ変換器と、からなる地震計と、圧力センサと、前記圧力センサから出力される矩形波を平滑化することで気圧データを生成する平滑化部と、からなる気圧計と、前記地震データと、前記気圧データとが入力されると共に、前記地震データと、前記気圧データとに基づいて、津波警報を発する警報判定部と、を有することを特徴とする津波警報装置。
【請求項４】
前記平滑化部は、ｉ番目の矩形波の時間幅Ｘiに対する平滑化された時系列ＹiをＹi＝（ｂ0Ｘi＋ｂ1Ｘi-1−ａ1Ｙi-1）／ａ0            ・・・（３）によって求めること（ただし、ｂ0＝ωｂ1＝ωａ0＝２／Ｘi＋ωａ1＝−２／Ｘi＋ω          ・・・（５）であり、また、ω＝２πｆcであり、ｆcはカットオフ周波数である。）を特徴とする請求項３に記載の津波警報装置。
【請求項５】
前記平滑化部は、ｉ番目の矩形波の時間幅Ｘiに対する平滑化された時系列ＹiをＹi＝（ｂ0Ｘi＋ｂ1Ｘi-1＋ｂ2Ｘi-2−ａ1Ｙi-1−ａ2Ｙi-2）／ａ0   ・・・（４）によって求めること（ただし、ｈをフィルタのダンピングとして、ａ0＝１２／Ｘi2＋１２ｈω／Ｘi＋ω2ａ1＝１０ω2−２４／Ｘi2ａ2＝１２／Ｘi2−１２ｈω／Ｘi＋ω2ｂ0＝ω2ｂ1＝１０ω2ｂ2＝ω2                  ・・・（６）                                  または、ａ0＝４／Ｘi2＋４ｈω／Ｘi＋ω2ａ1＝２ω2−８／Ｘi2ａ2＝４／Ｘi2−４ｈω／Ｘi＋ω2ｂ0＝ω2ｂ1＝２ω2ｂ2＝ω2                  ・・・（７）であり、また、ω＝２πｆcであり、ｆcはカットオフ周波数である。）を特徴とする請求項３に記載の津波警報装置。
【請求項６】
地震センサと、前記地震センサからの出力をＡＤ変換することで地震データを生成するＡＤ変換器と、からなる地震計と、圧力センサと、前記圧力センサから出力される矩形波を平滑化することで気圧データを生成する平滑化部と、からなる気圧計と、前記地震データと、前記気圧データとを、通信ネットワークを介して受信する受信部と、前記受信部で受信した前記地震データと、前記気圧データとに基づいて、津波警報を発する警報判定部と、を有することを特徴とする津波警報システム。
【請求項７】
前記平滑化部は、ｉ番目の矩形波の時間幅Ｘiに対する平滑化された時系列ＹiをＹi＝（ｂ0Ｘi＋ｂ1Ｘi-1−ａ1Ｙi-1）／ａ0            ・・・（３）によって求めること（ただし、ｂ0＝ωｂ1＝ωａ0＝２／Ｘi＋ωａ1＝−２／Ｘi＋ω          ・・・（５）であり、また、ω＝２πｆcであり、ｆcはカットオフ周波数である。）を特徴とする請求項６に記載の津波警報システム。
【請求項８】
前記平滑化部は、ｉ番目の矩形波の時間幅Ｘiに対する平滑化された時系列ＹiをＹi＝（ｂ0Ｘi＋ｂ1Ｘi-1＋ｂ2Ｘi-2−ａ1Ｙi-1−ａ2Ｙi-2）／ａ0   ・・・（４）によって求めること（ただし、ｈをフィルタのダンピングとして、ａ0＝１２／Ｘi2＋１２ｈω／Ｘi＋ω2ａ1＝１０ω2−２４／Ｘi2ａ2＝１２／Ｘi2−１２ｈω／Ｘi＋ω2ｂ0＝ω2ｂ1＝１０ω2ｂ2＝ω2                  ・・・（６）                                  または、ａ0＝４／Ｘi2＋４ｈω／Ｘi＋ω2ａ1＝２ω2−８／Ｘi2ａ2＝４／Ｘi2−４ｈω／Ｘi＋ω2ｂ0＝ω2ｂ1＝２ω2ｂ2＝ω2                  ・・・（７）であり、また、ω＝２πｆcであり、ｆcはカットオフ周波数である。）を特徴とする請求項６に記載の津波警報システム。
【手続補正２】
【補正対象書類名】明細書
【補正対象項目名】００１０
【補正方法】変更
【補正の内容】
【００１０】  前記課題を解決するために、本発明の請求項１に係る発明は、圧力センサから出力される矩形波の周波数を平滑化する圧力センサの出力周波数平滑化方法であって、ｉ番目の矩形波の時間幅Ｘiに対する平滑化された時系列ＹiをＹi＝（ｂ0Ｘi＋ｂ1Ｘi-1−ａ1Ｙi-1）／ａ0            ・・・（３）によって求めること（ただし、ｂ0＝ωｂ1＝ωａ0＝２／Ｘi＋ωａ1＝−２／Ｘi＋ω          ・・・（５）であり、また、ω＝２πｆcであり、ｆcはカットオフ周波数である。）を特徴とする。
【手続補正３】
【補正対象書類名】明細書
【補正対象項目名】００１３
【補正方法】変更
【補正の内容】
【００１３】  また、請求項４に係る発明は、請求項３に記載の津波警報装置において、前記平滑化部は、ｉ番目の矩形波の時間幅Ｘiに対する平滑化された時系列ＹiをＹi＝（ｂ0Ｘi＋ｂ1Ｘi-1−ａ1Ｙi-1）／ａ0            ・・・（３）によって求めること（ただし、ｂ0＝ωｂ1＝ωａ0＝２／Ｘi＋ωａ1＝−２／Ｘi＋ω          ・・・（５）であり、また、ω＝２πｆcであり、ｆcはカットオフ周波数である。）を特徴とする。
【手続補正４】
【補正対象書類名】明細書
【補正対象項目名】００１６
【補正方法】変更
【補正の内容】
【００１６】  また、請求項７に係る発明は、請求項６に記載の津波警報システムにおいて、前記平滑化部は、ｉ番目の矩形波の時間幅Ｘiに対する平滑化された時系列ＹiをＹi＝（ｂ0Ｘi＋ｂ1Ｘi-1−ａ1Ｙi-1）／ａ0            ・・・（３）によって求めること（ただし、ｂ0＝ωｂ1＝ωａ0＝２／Ｘi＋ωａ1＝−２／Ｘi＋ω          ・・・（５）であり、また、ω＝２πｆcであり、ｆcはカットオフ周波数である。）を特徴とする。
【手続補正５】
【補正対象書類名】明細書
【補正対象項目名】００３３
【補正方法】変更
【補正の内容】
【００３３】  式（３）で行われる一次フィルタの場合係数は、ｂ0＝ωｂ1＝ωａ0＝２／Ｘi＋ωａ1＝−２／Ｘi＋ω          ・・・（５）となる。ここで、ω＝２πｆcであり、ｆcはカットオフ周波数である。